(57)【特許請求の範囲】
【請求項１】
ベッドとベッド上に敷かれ、或いは、畳と畳上に敷かれるマットレス又は敷布団との間に差込まれる略短冊状の差込みプレートと、寝具用上掛けの適宜な端縁部を取外し自在に挟込み保持する掛止め環とを有する寝具用上掛けのズレ止め具において、
前記掛止め環は、一対の互いに離間した第一の軸部と、前記第一の軸部の一端部間に亘る第二の軸部と、前記第一の軸部の他端部間に亘る第三の軸部とから成る環本体と、前記第一の軸部に嵌め合わさる両端のリング部で前記第一の軸部に沿ってスライド自在に前記第一の軸部の間に掛け渡された押え杆を有し、更に、フック部を前記差込みプレートの一端部に設けて前記第二の軸部で前記フック部に掛止め可能に備えてなり、
前記掛止め環は、前記上掛けの前記端縁部を前記第二の軸部と前記押え杆との間に通すと共に、前記押え杆を跨がせて前記押え杆と前記第三の軸部との間に通し、前記押え杆を両端のリング部で前記第一の軸部に沿って前記第三の軸部の方向へスライド移動させて前記押え杆と前記第三の軸部とで前記上掛けの前記端縁部を挟持してから、前記押え杆と前記第三の軸部を前記端縁部の挟持された上掛けで巻回し、前記押え杆を前記上掛けから加わる引張り力により前記端縁部の挟込み方向に引張り可能な器具として備え付けたことを特徴とする寝具用上掛けのズレ止め具。
【請求項２】
前記第三の軸部、並びに、前記押え杆が平板状に形成されていることを特徴とする請求項１に記載の寝具用上掛けのズレ止め具。
【発明の詳細な説明】
【技術分野】
【０００１】
本発明は、掛け布団，ブランケット，ベッドカバー等を含む寝具用上掛けのズレ止め具に関するものである。
【背景技術】
【０００２】
従来、この種の上掛けズレ止め具としては種々のものが提案されている。それらのズレ止め具は、主に、ベッドとベッド上に敷かれたマットレス等との間に挟み込まれてベッドの横方向へ延在するよう配置される平帯ベルトと、平帯ベルトの両端部に備えられて、上掛けの適宜端部を支持するための面ファスナや鰐口クリップ等の止め手段とにより構成されている（例えば、特許文献１，２）。
【０００３】
そのズレ止め具のうち、面ファスナを備えたズレ止め具の場合には、雄，雌の面ファスナとしてベルト側だけでなく、上掛け側にも取り付ける必要があるため、上掛けを縫製するのに制約となる。加えて、面ファスナを上掛けに備え付けた場合には、多数回に亘る上掛けの洗濯により、平帯ベルトに設けた面ファスナに対する上掛けの面ファスナの係合力が低下する虞が生じ、ズレ止め具としての機能を発揮し得ない事態も発生する。また、鰐口クリップを備えたズレ止め具の場合には、就寝者が寝返りを打つ等に伴う引張り力に耐えられる程の挟持力を備えるものでないため、上掛けが鰐口クリップから外れてしまう虞れがあった。
【０００４】
上述した主たる構成に加えて、ベッドの大きさに合せ或いは上掛けの引張り度合い等を調整するため、平帯ベルトの長さを調整するベルトの長さ調整手段も備え付けられている。
【０００５】
このズレ止め具によると、上述した面ファスナや鰐口クリップ等の止め手段により、平帯ベルトの両端部を上掛けに接続させてから、平帯ベルトの長さを調整する作業が必要となる。
【０００６】
ベッド用上掛けの上述したズレ止め具では、病院や高齢者ホーム等の数多くのベッドを抱える場所で適用するとなると、止め具の外れを直したり、平帯ベルトの長さを調整したり、個別に対応するのに大変な作業，労力を伴うことから実用性に欠ける。
【０００７】
【特許文献１】特開平１０−３３７２３３号公報
【特許文献２】特開２００１―３２１２５５号公報
【発明の開示】
【発明が解決しようとする課題】
【０００８】
本発明が解決しようとする課題は、簡単な操作で上掛けを外れないように確実に止めておくことのできる、上掛けのズレ止め具を提供することを目的とする。
【課題を解決するための手段】
【０００９】
上記課題を解決するため、本願の請求項１に係る発明は、
ベッドとベッド上に敷かれ、或いは、畳と畳上に敷かれるマットレス又は敷布団との間に差込まれる略短冊状の差込みプレートと、寝具用上掛けの適宜な端縁部を取外し自在に挟込み保持する掛止め環とを有する寝具用上掛けのズレ止め具において、
前記掛止め環は、一対の互いに離間した第一の軸部と、前記第一の軸部の一端部間に亘る第二の軸部と、前記第一の軸部の他端部間に亘る第三の軸部とから成る環本体と、前記第一の軸部に嵌め合わさる両端のリング部で前記第一の軸部に沿ってスライド自在に前記第一の軸部の間に掛け渡された押え杆を有し、更に、フック部を前記差込みプレートの一端部に設けて前記第二の軸部で前記フック部に掛止め可能に備えてなり、
前記掛止め環は、前記上掛けの前記端縁部を前記第二の軸部と前記押え杆との間に通すと共に、前記押え杆を跨がせて前記押え杆と前記第三の軸部との間に通し、前記押え杆を両端のリング部で前記第一の軸部に沿って前記第三の軸部の方向へスライド移動させて前記押え杆と前記第三の軸部とで前記上掛けの前記端縁部を挟持してから、前記押え杆と前記第三の軸部を前記端縁部の挟持された上掛けで巻回し、前記押え杆を前記上掛けから加わる引張り力により前記端縁部の挟込み方向に引張り可能な器具として備え付けたことを特徴とする。
【００１０】
本願の請求項２に係る発明は、請求項１に係る発明の構成に加えて、第三の軸部、並びに、押え杆が平板状に形成されていることを特徴とする。
【発明の効果】
【００１１】
本願の請求項１に係る発明に依れば、押え杆と第三の軸部とから上掛けの端縁部を挟持してから、押え杆と第三の軸部を端縁部の挟持された上掛けで巻回し、押え杆を上掛けから加わる引張り力により端縁部の挟込み方向に引張り可能な器具として備え付けたことにより、就寝者が寝返りを打つ等に伴う引張り力が上掛けに加わっても、押え杆が上掛けの端縁部を第三の軸部とで挟み込む方向に引張られるため、上掛けが掛止め環から外れることがない。
ことができる。
【００１２】
本願の請求項２に係る発明に依れば、第三の軸部、並びに、押え杆を平板状に形成したので、平板状に形成された第三の軸部の角部と、平板状に形成された押え杆の角部とから、上掛けの端縁部をより緊密に締め付けて確りと挟持することができる。
【発明を実施するための最良の形態】
【００１３】
以下、添付図面を参照して本発明に係る上掛けズレ止め具の実施形態について説明する。図１に示したように、この実施形態に係る上掛けズレ止め具は、フック部１を一端部に備えた略短冊状の本体を有する差込みプレート２と、上掛けＡの適宜な端縁部に着脱自在に止着されて差込みプレート２のフック部１に掛け止められる掛止め環３とを有している。
【００１４】
この上掛けズレ止め具は、例えば、図２に示したように、複数の差込みプレート２をベッドＢとベッドＢの上に敷かれたマットレスＣ等との間に挟込み、上掛けＡの適宜な端縁部を着脱自在に止着させた掛止め環３を差込みプレート２のフック部１に掛け止めることにより上掛けＡのズレ止め具として用いられる。尚、差込みプレート２は、ベッドＢとマットレスＣとの間に挟み込む場合に限らず、畳と敷布団等との間に挟み込んで用いることもできる。
【００１５】
掛止め環３は、略Ｄ字状の環本体３０と、上掛けＡの端縁部を環本体３０とで締付け挟持するための押え杆３２とを有している。掛止め環３の環本体３０は、一本の金属棒材を略Ｄ字状に折り曲げることにより形成されている。環本体３０は、一対の互いに離間して略並行に延びる第一の軸部３０ａ，３０ｂと、一対の軸部３０ａ，３０ｂの一端部間に亘る略円弧状の第二の軸部３０ｃと、一対の軸部３０ａ，３０ｂの他端部間に亘る第三の軸部３０ｄとを有している。環本体３０は、第二の軸部３０ｃで差込みプレート２のフック部１に引掛けられる。上掛けＡの端縁部は、第三の軸部３０ｄと押え杆３２とにより締め付け挟持される。
【００１６】
第三の軸部３０ｄは、一本の金属棒材を略Ｄ字状に折り曲げて環本体３０を形成した際に、互いに対向する金属棒材の両端部を角のある平板状に押し潰すことにより形成されている。また、押え杆３２は、角を持った金属製の平板材の両端部を夫々略リング状に折り曲げることにより形成されている。押え杆３２のリング部３２ａ，３２ｂは、環本体３０の一対の軸部３０ａ，３０ｂの外径よりも若干大きい内径を有し、そのリング部３２ａ，３２ｂを一対の軸部３０ａ，３０ｂに夫々嵌め合せることにより、押え杆３２は一対の軸部３０ａ，３０ｂに沿ってスライド移動可能に一対の軸部３０ａ，３０ｂ間に掛け渡し装着されている。
【００１７】
環本体３０の第三の軸部３０ｄを角のある平板状に形成し、押え杆３２も角を持った平板材にて形成すると、環本体３０の第三の軸部３０ｄの角部と押え杆３２の角部とで、上掛けＡの端縁部を緊密に締め付けて、上掛けＡの端縁部を確りと挟持させることができる。
【００１８】
一対の軸部３０ａ，３０ｂの間隔は、第三の軸部３０ｄの方向に向かって徐々に広幅となるよう構成することもできる。このように構成した場合には、押え杆３２を一対の軸部３０ａ，３０ｂに沿って第三の軸部３０ｄの方向へスライド移動させて上掛けＡの端縁部を第三の軸部３０ｄとで挟持させた時に、押え杆３２が第二の軸部３０ｃの方向へ移動することなく、第三の軸部３０ｄとで上掛けＡの適宜端縁部を確りと挟持した状態に保てる。
【００１９】
環本体３０及び押え杆３２を金属材料にて形成した場合について述べたが、これらを樹脂で所定形状に成形したものであってもよい。環本体３０の第二の軸部３０ｃは、図３に示したように、それの略中央部分で略Ｕ字状に湾曲させて窪み部３０ｃ’を設けようにしてもよい。この場合には、略Ｕ字状の窪み部３０ｃ’を差込みプレート２のフック部１に係合させることにより、掛止め環３を差込みプレート２に対して位置決め係止させることができる。
【００２０】
図４及び図５を参照すると、差込みプレート２の略短冊状本体は、金属製の平板材にて成る芯材２０と、その金属製芯材２０を被覆する帯状の被覆層２２とにより構成されている。芯材２０は、帯状の被覆層２２を二つ折りにし、その二つ折りにされた被覆層２２の間に芯材２０を挿入して芯材２０の両面に二つ折りにされた被覆層２２の内側面を接着することにより被覆層２２と一体に構成されている。
【００２１】
差込みプレート２の一端部に設けられたフック部１は、芯材２０を構成する金属製平板材の一端部をその平板材の板面に対して略直角に折り曲げた起立基部１０の上端部から側方へ斜め下方に延びる狭幅な略ループ状に形成されている。起立基部１０の両側部は、フック部１が延びている方向と反対方向へ折り曲げられ、この折り曲げ部１０ａにより起立基部１０は補強されている。
【００２２】
芯材２２を金属製の平板材により形成した場合について説明したが、適宜な硬さを有する硬質性樹脂材料にて成形してもよい。また、被覆層２２の材料としては、摩擦抵抗係数の高い材料を用いるのが好ましく、摩擦抵抗係数の高い材料としては、例えば、ゴム，不織布、摩擦抵抗係数の高い樹脂材料等を用いることができる。被覆層２２を摩擦抵抗係数の高い材料にて構成した場合には、差込みプレート２の略短冊状本体をベッドとマットレス等、或いは、畳と敷布団等との間に差込んで、適宜位置にセットしただけで、差込みプレート２が容易に移動するのを防止することができる。
【００２３】
被覆層２２は、被覆層２２を平板状芯材２０と略同一寸法の帯状に形成し、平板状芯材２０の両面の少なくとも一方に接着させるようにしてもよい。好ましくは、差込みプレート２をベッドとマットレス等、或いは、畳と敷布団等との間に差込んだ時に、ベッド或いは畳と対向する平板状芯材２０の面側に被覆層２２を接着させるとよい。また、差込みプレート２の略短冊状本体全体を摩擦抵抗係数の高い材料にて形成してもよい。この場合には、剛性のある材料を用いるとよい。
【００２４】
上述した如く構成した上掛けのズレ止め具を用いては、上掛けの複数の適宜端縁部を複数の掛止め環３に保持させ、それら複数の掛止め環３をベッドとマットレス（又は敷布団）或いは畳と敷布団（又はマットレス）との間に差込まれた複数の差込みプレート２のフック部１に掛け止めることにより上掛けのズレ防止を行うことができる。
【００２５】
より詳述すると、図６に示したように、上掛けＡの適宜な端縁部を、フック部１に引掛けられる環本体３０の第二の軸部３０ｃと押え杆３２との間に差込み、且つ、図７に示したように押え杆３２を跨がせて押え杆３２と環本体３０の第三の軸部３０ｄとの間に差込んで、図８に示したように、押え杆３２を掛止め環３の一対の軸部３０ａ，３０ｂに沿って環本体３０の第三の軸部３０ｄの方向へスライド移動させて、上掛けＡの端縁部を押え杆３２と環本体３０の第三の軸部３０ｄとで締付け挟持させる。
【００２６】
掛止め環３に対する上掛けＡの止着作業の前又は後に、フック部１を露呈させた状態で差込みプレート２をベッドとマットレス（又は敷布団）或いは畳と敷布団（又はマットレス）との間に差込む。
【００２７】
上掛けＡの端縁部が掛止め環本体３０の第三の軸部３０ｄと押え杆３２とにより挟持された状態で、図９に示したように、掛止め環３の第二の軸部３０ｃを差込みプレート２のフック部１に引っ掛けることにより、上掛けＡのズレが防止される。
【００２８】
掛止め環３の第二の軸部３０ｃがフック部１に掛止められた状態では、就寝者が寝返りを打つ等に伴う引張り力（矢印参照）が上掛けＡに加わっても、掛止め環３がベッドとマットレス或いは畳と敷布団との間に差込まれた差込みプレート２によって下方に引張られると共に、押え杆３２が上掛けＡの端縁部を第三の軸部３０ｄとで挟み込む方向に引張られるため、上掛けＡが掛止め環３から外れることがない。
【００２９】
それに加えて、掛止め環３の第三の軸部３０ｄが角を持った平板状に押潰し形成されていると共に、押え杆３２も同様に角を持った平板部材で形成されているため、上掛けＡの適宜端縁部が第三の軸部３０ｄと押え杆３２との間からずれ出さない。これにより、上掛けを確実にズレ止め保持できる。
【００３０】
図示実施形態においては、差込みプレートの本体を略短冊状に形成したので、差込みプレートをベッドとマットレス等、或いは、畳と敷布団等との間に差込んでも就寝者に違和感を与えることはない。就寝者に違和感を与えない限り、差込みプレートの形状は、略短冊状に限定されるものではない。また、差込みプレートの本体が極めて短く形成されているので、ベッドの大きさ或いは上掛けの引張り度合いを考慮して、差込みプレートを適宜位置に複数個設置させることにより適宜位置で夫々複数の掛止め環と係合させることができるので、ベッドの大小或いは上掛けの引張り度合い応じて適宜対応させることができる。
【００３１】
本明細書中で用いた用語及び表現は単に説明のために便宜上用いたに過ぎないものであって、本発明の内容を何ら限定するものではない。そのような用語や表現を用いたとしても、そのことにより、上述した本発明の形態と均等なものやその一部を排除する意図はない。本発明は、権利が要求されている特許請求の範囲内で種々の変更を加えられることは明らかである。
【図面の簡単な説明】
【００３２】
【図１】本発明に係る寝具用上掛けのズレ止め具を示した斜視図である。
【図２】本発明に係るズレ止め具の使用状態を示した斜視図である。
【図３】図１に示したズレ止め具で用いられている掛止め環の変形例を示した斜視図である。
【図４】本発明に係るズレ止め具で用いられている差込みプレートを示した斜視図である。
【図５】図４に示した差込みプレートの側面図である。
【図６】上掛けを本発明に係るズレ止め具の掛止め環に止着させる最初の手順を説明するための斜視図である。
【図７】上掛けを掛止め環に止着させるための次の手順を説明するための斜視図である。
【図８】上掛けの適宜端縁部が押え杆と掛止め環の第三の軸部とで挟持されている状態を示した斜視図である。
【図９】上掛けの適宜端縁部が止着された掛止め環を差込みプレートのフック部に掛け止めた状態を示した断面図である。
【符号の説明】
【００３３】
１                  フック部
２                  差込みプレート
３                  掛止め環
３０                環本体
３０ａ              環本体の第一の軸部
３０ｂ              環本体の第二の軸部
３０ｃ              環本体の第三の軸部
３２                押え杆
３２ａ，３２ｂ リング部
Ａ                  上掛け
Ｂ                  ベッド
Ｃ                  マットレス
【図１】
0004677540.tif 000002
【図２】
0004677540.tif 000003
【図３】
0004677540.tif 000004
【図４】
0004677540.tif 000005
【図５】
0004677540.tif 000006
【図６】
0004677540.tif 000007
【図７】
0004677540.tif 000008
【図８】
0004677540.tif 000009
【図９】
0004677540.tif 000010